(57)【特許請求の範囲】
【請求項１】
それぞれに設けられた復帰バネ手段（４）により閉鎖位置に押圧され、それぞれの吸気管及び排気管を制御する、それぞれのシリンダに設けられた少なくとも１つの吸気バルブと少なくとも１つの排気バルブと、
それぞれのタペットによりエンジンシリンダの前記吸気バルブと前記排気バルブを駆動する少なくとも１つのカムシャフト（１０）とを備え、
それぞれの前記吸気バルブは、圧縮流体チャンバー（６）を含む油圧手段を介する前記復帰バネ手段（４）の動きに抗してそれぞれのタペットによって制御され、
圧縮流体チャンバー（６）は、ソレノイドバルブ（１５）を介在して排気チャンネル（１２）へ接続するように設計され、それぞれのタペットから前記バルブを分離し、それぞれの復帰バネ手段（４）と同様にバルブを早く閉鎖する、前記圧縮流体チャンバー（６）と、
個々のソレノイドバルブ（１５）を制御し、エンジンの少なくとも１つの操作パラメータにしたがってそれぞれの前記吸気バルブの開放時間とストロークを変化させる電気制御手段と、を有する多気筒ガソリンエンジンであって、
前記電気制御手段は、前記吸気バルブの閉鎖を下死点より早めることによって、あるいは、ピストンの下死点に対応するクランクシャフトの角度を上回って前記吸気バルブの閉鎖を遅らせることによって、前記エンジンの有効圧縮比を調整し、
前記エンジンはそれぞれのシリンダに少なくとも２つの吸気バルブを備え、前記電気制御手段はそれぞれの吸気バルブが、開放を遅らせる調整と、閉鎖を早める調整と、開放を遅らせ閉鎖を早める調整の３つの調整を受けるように予め設定され、前記３つの調整を組み合わせることで、異なるモードのバルブ管理を行うことを特徴とする、多気筒エンジン。
【請求項２】
前記電気制御手段は、
（ｉ）双方の吸気バルブの閉鎖を同じバルブリフトで早める、
（ii）双方の吸気バルブの閉鎖を異なるバルブリフトで早める、
（iii）双方の吸気バルブの閉鎖を交互に早め、１つのエンジンサイクルごとに１つの吸気バルブを交互に開放する、
（iv）双方の吸気バルブの開放を同じバルブリフトで遅らせる、
（ｖ）双方の吸気バルブの開放を異なるバルブリフトで遅らせる、
（vi）双方の吸気バルブの開放を交互に遅らせ、１つのエンジンサイクルごとに１つの吸気バルブを交互に開放する、
（vii）１つの吸気バルブの開放を遅らせ他の吸気バルブの閉鎖を早める、
（viii）同じバルブリフトで２つの吸気バルブのそれぞれについて開放を遅らせ閉鎖を早める、
（ix）異なるバルブリフトで２つの吸気バルブのそれぞれについて開放を遅らせ閉鎖を早める、
（ｘ）それぞれの吸気バルブについて、エンジンサイクルごとに交互に１つのみの開放を遅らせ閉鎖を早める、
から選択される前記シリンダの前記吸気バルブの少なくとも１つの制御方法を実行することを特徴とする、請求項１に記載のエンジン。
【請求項３】
前記エンジンは、前記エンジンシリンダの排気バルブを閉鎖に維持させる第２の電気制御手段を備え、前記電気制御手段は、前記エンジンの選択されたシリンダの前記吸気バルブを閉鎖に維持するように制御し、同時に、前記第２の電気制御手段の動作により前記排気バルブが閉鎖に維持されるように制御することによって、前記選択されたシリンダの操作を抑制することを特徴とする請求項１に記載のエンジン。
【請求項４】
前記エンジンは偶数のシリンダを備え、前記電気制御手段は前記エンジンシリンダの半数を機能停止するように制御することを特徴とする、請求項３に記載のエンジン。
【請求項５】
前記エンジンは奇数のシリンダを備え、前記電気制御手段は、個々の燃焼フェイズの間に、すべてのエンジンシリンダを燃焼の順番で一つおきに機能停止するように設定され、８ストローク操作サイクルとなるようにしたことを特徴とする、請求項３に記載のエンジン。
【請求項６】
前記それぞれの吸気バルブを制御する前記エンジンのカムシャフト（１０）のカム（９）は、エンジンの通常操作サイクル内の決まった開放フェイズの間だけではなく、サイクルの少なくとも１つの別のフェイズの間に前記吸気バルブが開放されるように制御され、前記電気制御手段は、排気フェイズの間に前記吸気バルブの第２の開放をもたらし、後続の導入フェイズの間に吸気管内を流れる熱いガスを燃焼チャンバーへ導入して内部排気ガスを再循環させることを特徴とする、請求項３に記載のエンジン。
【発明の詳細な説明】
【技術分野】
【０００１】
本発明は、バルブの変動のためのシステムを備えた多気筒エンジンに関する。
【背景技術】
【０００２】
出願人は、内燃エンジンについて米国特許出願ＵＳ−Ａ−６２３７５５１を行っている。内燃エンジンの種類は、
それぞれのシリンダについての少なくとも一つの吸気バルブと少なくとも一つの排気バルブであって、それぞれ、閉鎖位置に向かってバルブを押圧し吸気及び排気パイプをそれぞれ制御する弾性復帰手段を備えたバルブと、
それぞれタペットの手段によりエンジンシリンダの吸気及び排気バルブを駆動させるための少なくとも一つのカムシャフトとを備え、
それぞれの吸気バルブは加圧された流体チャンバーを含む油圧の仲介によって上記弾性復帰手段の駆動に反してそれぞれタペットによって制御され；
それぞれのタペットからバルブを離し、バルブを迅速に閉鎖させる、すなわち弾性復帰手段のためにソレノイドバルブによって排気溝に接続されるように設計された上記加圧流体チャンバーと、
それぞれのソレノイドバルブを制御しエンジンの１以上の操作パラメータにしたがってそれぞれの吸気バルブの時間と開放ストロークを変化するための電気制御手段とを備える。
【特許文献１】米国特許第６２３７５５１号明細書
【発明の開示】
【発明が解決しようとする課題】
【０００３】
本発明の目的は、燃焼の制御を重視し、消費を減少させ、有害な排気ガスを減少し、一般的にエンジンの効率を向上させるという複数の利点を有するガソリンエンジンを提供するために従来提案されたエンジンをさらに向上させることである。
【課題を解決するための手段】
【０００４】
上述の目的を達成する観点から、本発明の目的は上述した参照される種類の公知のガソリンエンジンについて：
前記電気制御手段は、下死点よりも前の吸気バルブの閉鎖を早めることによって、あるいは、前記エンジンの最大体積効率角を越える吸気バルブの閉鎖を遅らせることによって、前記エンジンの有効圧縮比を調整することを特徴とする。
【０００５】
本発明によれば、上記の電気制御手段を備えたエンジンは燃焼を制御するために有効圧縮比（ＥＣＲ）の調整を実行する。
【０００６】
燃焼の現象は、圧縮フェイズの終わりに到達した圧力と温度の値によって制御される。本発明によって提供される可変システムに特有の吸気バルブの閉鎖の角度の管理における完全な柔軟性は、幾何学的圧縮比（ＧＣＲ）と独立した有効圧縮比（ＥＣＲ）を有する燃焼サイクルとすることができる。圧力と同様に有効圧縮比（ＥＣＲ）の管理を通して圧縮の終わりの温度を変えることができるシステムは燃焼を制御できるシステムである。
【０００７】
本発明のエンジンは、上述の目的を２つの異なるモードにより達成する。すなわち、
１）下死点に対して吸気バルブの閉鎖を早める。及び、
２）エンジンの最大体積効率の角度を超えて、すなわち、ピストンの下死点に対応するクランクシャフトの角度を上回って、吸気バルブの閉鎖を遅らせる。
【０００８】
本発明にかかるシステムは、エンジンの操作のポイントごとに用いられる可変の有効圧縮比および、同時に、固定の配置システムを採用したガソリンエンジンで通常用いられるよりも大きい幾何学的圧縮比を有する可能性を与える。実際、２つの圧縮比は、吸気バルブの閉鎖がエンジンのクランク機構に対する機械的な相ではない他のものとは独立している。上記のものは、一方で排気（燃焼チャンバー中で高い温度のためにより早くより安定した燃焼となり、燃焼チャンバー内の不燃の燃料の量がより小さくなる。）と消費（すなわちサイクルの効率）効果を有し、他方でバルブの可変制御の油圧システムによって完全負荷の場合にエンジンの性能がスパークノックの現象によって限定されないようなＥＣＲの値を構成することを可能にする効果を有する。これは、上述したように、上述した２つの異なるモードにしたがって発生する。早く吸気バルブを閉じる第１のモードでは、有効圧縮比が減少し、その結果としてこれから遅れる圧縮の終了時の温度が減少することでコンプレッサーの使用を通して導入される新しいチャージの濃度が増大する。圧縮フェイズの終わりにおけるチャージダウンは、燃焼サイクルの終わりと同じ圧力であるが、温度が低い（同じ有効圧縮比の計算において）ため、好ましくないスパークノックを構成する、導入されるチャージの量が減少することになり、エンジンの性能という観点から明らかな利益を有する。
【０００９】
上述の第２のモードによれば、有効圧縮比の減少は、吸気バルブの閉鎖を遅らせることによって得られる。この効果は第１のモードで説明したものと同じように提供される。
【００１０】
上述のバルブの可変駆動の油圧システムの使用により、本発明のエンジンは、ガソリンエンジンにおいて、消費と有害な排気の減少という点から所望の効果を得るための異なる方法を実行することができる。
【００１１】
すなわち、好ましい態様において、本発明は、前記エンジンはそれぞれのシリンダに少なくとも２つの吸気バルブを備え、吸気バルブが３つの調整を受けるように予め設定される。すなわち、開放を遅らせる、閉鎖を早める、開放を遅らせる及び閉鎖を早める、ことに関し、前記３つの可能な調整は、バルブ管理の異なるモードを備えポンピングの設定、燃焼チャンバー中の乱れ及び燃焼チャンバー中の動きに応じて求められた調整を選択するように種々の方法で互いに組み合わされている
【００１２】
さらに好ましい特徴によれば、本発明はさらに、設定されたエンジンシリンダの排気バルブを閉鎖に維持させる第２の電気制御手段を備え、
前記電気制御手段は、通常操作サイクルの間前記エンジンの選択された１以上のシリンダの吸気バルブを閉鎖に維持するように設定され、かつ前記第２の手段の動作を前記選択されたシリンダの排気バルブの閉鎖を維持させるように活動させ、結果としてモジュール方式により異なる配置のエンジンを得ることができる。
【００１３】
モジュール方式のコンセプトについて考慮すると、本質的にガソリンエンジンは公知である。エンジンの１以上のシリンダの活動を実行させ一般的に特定の消費の減少を達成させるためには、燃焼フェイズにおけるシリンダのポンピングの仕事を減少させ、燃焼効率を向上させることが求められる。この観点から自動車の必要なトルクにしたがって制御されるエンジンの配置の変更が得られる。
【００１４】
本発明のシステムは、スロットルバルブを使用することなくエンジン負荷の調整を行うことができ、したがってポンピングの損失を最少化することができる。さらに上記の効果に加えて、本発明のシステムは、吸気バルブとバルブの可変制御の油圧システムを通した排気バルブの双方を同時に閉じることにより、シンプルで安価な手段を用いることで十分に高い効率をもって上述の結果を達成させる。排気バルブを閉鎖させるために設計された上記の手段は、例えば、ドイツの企業ＩＮＡによって提供されるいわゆる「collapsible」のタペットの手段などの公知の方法で得ることができる。
【００１５】
偶数のシリンダを持つエンジンについての場合は、モジュール方式は、本発明に従いエンジンの２分の１のシリンダの不活性によって得られる。この方法では、エンジンの同じ平均有効圧力（ＭＥＰ）が与えられ、高い場合において活性シリンダのＭＥＰは２倍となるという複数の欠点が達成される。これは、燃焼中におけるシリンダの燃焼効率の向上を決定し結果として特定の消費の減少となる。半分のシリンダの駆動によって、摩擦による損失の減少も得られる。この結果は、モジュラー構造内においてもはや圧縮サイクル及び吸気バルブのスプリングの開放による吸収がなく、またクランク機構、ピストン、及び関連するセグメント上の駆動負荷が比較的減少されることを得ることができる。これにより、吸気バルブの閉鎖による摩擦による損失の減少と同時にモジュラー構造において、排気バルブが閉鎖していても、さらに摩擦による損失を少なくすることができ、排気バルブの不活性に対応した損失の減少があり、一方、とりわけ、吸気バルブの抑制を伴ったモジュール方式を得るために必要なポンピングによる損失の増加がおこらない。
【００１６】
エンジンのシリンダの数が奇数である場合、システムは操作、言いかえればエンジンのすべてのシリンダの損失に直面する。実際、個々の燃焼フェイズ間にばらつきがある不均一なものであるような場合は、所定のシリンダの永続的な駆動を行うことは可能である、もし、１、２、４、５、３の順番で燃焼する５つのシリンダが存在する場合について考えると、シリンダの固定した動きは、不活性のシリンダを示す括弧内の数で示すと、１、（２）、４、（５）、３となる。１−４の燃焼と４−３の間は２８８゜のエンジン角が存在することが明らかであり、シーケンス３−１対応するものは１４４゜しかないことは明らかである。本発明に係るシステムは、この問題を容易に克服することができるものであり、８-ストロークサイクルを備えている。特に、５つのシリンダの例を参照すると、１、２、４、５、３の燃焼の順番は１、（２）、４、（５）、３、（１）、２、（４）、５、（３）となり、上述のように括弧内の番号は、不活性のシリンダを示す。この場合、サイクルの周期は上述の偶数のシリンダを有するエンジンの場合の２倍になることが分かる。
【００１７】
本発明のさらに好ましい特質によれば、カムの輪郭を有するカムシャフトは、エンジンの通常操作サイクル内の決まった開放フェイズの間だけでなくサイクルの付加的なフェイズの間において制御されるそれぞれの吸気バルブの開放を可能にする。上述の電気制御手段はそれぞれのソレノイドバルブの開放を起こすように設計され、上述の特定のフェイズ及び／又は１以上の付加的なフェイズの間それぞれの吸気バルブを閉じるように維持し、エンジンが上記ソレノイドバルブを制御する異なる操作モジュールにしたがって選択的に機能するように作られたため、それぞれのカムがバルブの開放を生じる。
【００１８】
排気ガスの再循環（ＥＧＲ）のために後に続く導入フェイズの間吸気パイプ内を流れる熱いガスの吸気が行われるように、好ましくは、電気制御手段は、与えられたシリンダの排気フェイズの間吸気バルブの第２の開放を可能にするために設計される。
【００１９】
バルブの管理の柔軟性は、排気フェイズ中の吸気バルブの第２の開放の手段により吸気時における排気ガスの再循環を管理可能にするバルブを可変動作させる油圧システムによって保証される。この方法では、吸気パイプ中を流れるエンジンの排気ガスとして得られる内部ＥＧＲがその後の導入フェイズ中に燃焼チャンバー内に再導入される。排気フェイズ中の吸気バルブの再開放は、第２の適切なカムの輪郭による。バルブの可変動作の油圧システムのために、エンジンの異なる要請にしたがって吸気バルブの第２の開放を駆動することができる。とりわけ、吸気バルブの第２の開放は、有害な排気を減少させるために部分的な負荷において駆動し、一方サイクルエリアの外部と力学線内において、燃焼とエンジンの性能とを害しないように駆動する。再循環されるガスの最大量は、バルブの可変駆動の油圧系のソレノイドバルブの制御によって得られ、吸気バルブを第２のカム（全リフト）の輪郭に従わせ、ソレノイドバルブを実質的に活動させることにより、所望する量に減少/変更することを可能にし、その結果内部ＥＧＲの調整を顕著に精度よくするものである。
【発明を実施するための最良の形態】
【００２０】
これらのさらなる詳細は、単に限定的な実施例として提供されるものではない添付した図面を参照した後述の説明から明らかとなる。
【００２１】
図１において、参照番号１はガソリンエンジンのシリンダヘッド３内に設けられたそれぞれの吸気パイプ２と共同する吸気バルブ全体を示している。
【００２２】
バルブは、スプリング４によって閉じ位置に戻される（上方、図１に示すように）一方、バルブのステムの上端に作用するピストン５によって開放側に押しやられる。ピストン５は交互に制御され、圧力下でオイルを通し、カムシャフト１０のカム９と協働するカップすなわちバケット８を指示するピストン７によってチャンバー６の内側に配置される。カップ８はスプリング１によってカム９に接触して摺動することを抑えられる。圧縮チャンバー６はパイプ１２に接続され、エンジンの状況にしたがって操作される電気制御手段（図示なし）によって制御されるソレノイドバルブ１５の開閉要素１４を通して圧力アキュムレータ１３にかわるがわるに連通する。ソレノイドバルブ１５が開放したとき、チャンバー６内に存在する圧力下のオイルは放出され、バルブ１は戻しスプリング４の動作によってすばやく閉鎖する。
【００２３】
ソレノイドバルブ１５が閉鎖しているとき、チャンバー６内に存在するオイルは、ピストン７からピストン５へ、結果としてバルブ１に向かって移動し、バルブ１の位置はカムによって決定される。換言すれば、カム９は、通常、吸気バルブには影響されることなく、カムの輪郭に従ったサイクルに基づいたバルブ１の開放を制御し、必要な場合はソレノイドバルブ１５を開放し、ピストン７とバルブ１との間の連通を遮断する。本発明は、上述の多気筒ガソリンエンジンについてのタイプのバルブの可変システムに適用されるものである。
【００２４】
すでに上述したように、電気制御手段は、バルブの可変のための油圧を用いる吸気バルブと排気バルブを閉鎖する手段によって１つ以上の選択されたシリンダによってエンジンの操作を行うために予め設けられる（好ましくは電気制御アクチュエータによる）。さらに、先に詳細に説明したように、電気制御手段は、有効圧縮比（ＥＣＲ）の調整による燃焼の制御と、吸気バルブの第２の開放の手段による内部排気ガス再循環（ＥＧＲ）の制御を達成するために予め設けられており、カム９（図１には示されていない）の第２カム９ａの作用によってこれを得ることができる。
【００２５】
電気制御手段はさらに複数の吸気バルブの異なる調整をすることができるように構成されている。それぞれの吸気バルブは３つの調整：開放を遅らせ、閉鎖を早め、開放を遅らせかつ閉鎖を早める、を行う。それぞれのシリンダに吸気バルブが設けられている場合は、上述の３つの可能な基本の調整が異なる柔軟な方法によって組み合わされ、ポンプのタームの所望の調整、燃焼チャンバー内の乱れ、燃焼チャンバー内の動きにしたがって選択される。
【００２６】
もちろん３つ以上の吸気バルブを備えたシリンダの場合には、可能な組み合わせは増大する。続いて、それぞれのシリンダと協働する２つの吸気バルブの調整の異なる１０のモードを以下に具体的に説明する。
【００２７】
１）双方の吸気バルブの閉鎖を早める：双方の吸気バルブの閉鎖は早められ、等しくリフトされる（図２参照）。このモードは、低いバルブのポンピングと燃焼チャンバーの乱れを可能にし、消費と排気されるＮＯｘを減少させることができる。
【００２８】
２）異なるバルブリフトで双方の吸気バルブの閉鎖を早めるものである（図３参照）。：このモードは、燃焼チャンバー内に傾斜した渦流が作られることを可能にし、リフトが低いバルブによりこれを管理する。しかし、同時にポンプ価は低く維持する。
【００２９】
３）吸気バルブの一方の閉鎖を早めるものである（図４参照）。：双方の吸気バルブは早く閉鎖を開始するが、一方のバルブは、交互にそれぞれのエンジンサイクル中開放している。このモードは、燃焼チャンバー内の乱れをわずかに増大させ、傾斜した渦流を発生させるが、これを制御することはできない。一方のみの吸気バルブとともに空気の制御を可能にするという利点を得ることができ、よって電力消費を半分にし、分散によって吸収されるトルクを減少させる。同時に、２つのジェットインジェクタを吸気パイプからはなすことができる。ポンピングの仕事の値はいずれの場合も低く維持される。
【００３０】
４）吸気バルブの開放を遅らせる（図５参照）。：双方のバルブの開放をカムの輪郭に従うバルブのあとに遅らせ、開放セットの角にしたがって完全にリフトする。このモードは、ポンピング値を高くすることができ、エンジンブレーキを管理するために有用である。バルブリフトが小さい値をとることにより、上昇バルブと下降バルブの間の差によって発生する高圧力によってバルブを通して層流が構成される。低いリフトを有するバルブとともにこれらの動きを制御することが可能となる。この管理は、さらに、アイドリング時及び高いポンピング時におけるノイズを減少させることができる。
【００３１】
５）異なるバルブリフトで吸気バルブの開放を遅らせる。：異なるバルブリフトについて双方のバルブの開放を遅らせる（図６参照）。このモードは、燃焼チャンバー内に傾斜した渦流を発生させ、バルブの小さなリフトの存在と協働して層流を発生させる。小さいリフトのバルブとともにこれらの動きは制御可能である。この管理は、さらに、アイドリング及び高いポンピング時におけるノイズの減少を可能にする。
【００３２】
６）吸気バルブの一方の開放を遅らせる（図７参照）。：双方のバルブの開放を遅らせ、一方のバルブを交互にエンジンサイクルごとに開放する。このモードは、燃焼チャンバー内に傾斜した渦流を作りだすが、これを管理することができない。一方のみの吸気バルブとともに空気の制御を可能にするという利益を得ることができ、よって電力消費を半分にし、同時に、２つのジェットインジェクタを吸気パイプからはなすことができる。この管理は、さらに、アイドリング時及び高いポンピング時におけるノイズを減少させることができる。
【００３３】
７）混合制御：一つの吸気バルブの開放を遅らせ（図８参照）、他の吸気バルブの開放を早める。このモードは、極度に柔軟性をシステムに与える。事実、バルブの開放が遅延し小さいバルブのリフトとなった場合に、バルブを通して層流を得ることができ、一方、バルブの閉鎖が早かったとしても渦流を構成する。これら２つの動きは十分な燃焼を引き起こし、結果として燃料消費という観点から利点を有する。
【００３４】
８）開放を遅らせ／閉鎖を早める：双方のバルブは遅れた開放と早められた閉鎖を行うように管理され、同じバルブリフトを実行する（図９参照）。開放を遅らせることで、わずかなポンピングだけでなく燃焼チャンバー内に乱流が発生し、燃焼の効率を向上させ、結果として、燃料消費の観点から利点を生じる。
【００３５】
９）異なるバルブリフトで開放を遅らせ／閉鎖を早める（図１０参照）：双方のバルブは、遅れた開放と早められた閉鎖を行うように管理され、異なるバルブリフトで実行される。これは、２つのバルブが開放及び／又は閉鎖の角度が異なるためである。開放を遅らせることで、一定量のポンピングだけでなく燃焼チャンバー内の乱れも発生し、燃焼効率が向上して結果として燃料消費の観点から利点を生じる。
【００３６】
１０）選択的に開放を遅らせ／閉鎖を早める（図１１参照）：双方のバルブは遅れた開放と早められた閉鎖を行うように管理され、１つのバルブのみがエンジンサイクルごとに交互に開放する。開放を遅らせることで、一定量のポンピングだけでなく燃焼チャンバー内の乱れも発生し、燃焼効率が向上して結果として燃料消費の観点から利点を生じる。さらなる効果は１つの吸気バルブのみで空気を制御できることであり同時に、ダブルジェットインジェクタを吸気パイプと離して用いることができる。
【００３７】
図２から１１は上述の異なるモード操作のバルブリフトのダイアグラムを示す。破線は、カムの幾何構造によるバルブリフトの理論ダイアグラムを示す（エンジン角の関数としてバルブが移転する。）。実線は、十分なバルブリフトのダイアグラムを示す。
【００３８】
いうまでもなく、本発明の原理に偏見なく、本発明の範囲から離れることなく構成の詳細と実施形態は、単に例として説明開示ししたという精神によってきわめて広く解されるものである。
【図面の簡単な説明】
【００３９】
【図１】本発明のエンジンに用いられるタイプの可変バルブの水圧系の概略図である。
【図２】エンジンシリンダの２つの吸気バルブの調整の異なるモードを示す図である。
【図３】エンジンシリンダの２つの吸気バルブの調整の異なるモードを示す図である。
【図４】エンジンシリンダの２つの吸気バルブの調整の異なるモードを示す図である。
【図５】エンジンシリンダの２つの吸気バルブの調整の異なるモードを示す図である。
【図６】エンジンシリンダの２つの吸気バルブの調整の異なるモードを示す図である。
【図７】エンジンシリンダの２つの吸気バルブの調整の異なるモードを示す図である。
【図８】エンジンシリンダの２つの吸気バルブの調整の異なるモードを示す図である。
【図９】エンジンシリンダの２つの吸気バルブの調整の異なるモードを示す図である。
【図１０】エンジンシリンダの２つの吸気バルブの調整の異なるモードを示す図である。
【図１１】エンジンシリンダの２つの吸気バルブの調整の異なるモードを示す図である。
【符号の説明】
【００４０】
１  吸気バルブ
２  吸気パイプ
３  シリンダヘッド
４  スプリング
５  ピストン
６  圧縮チャンバー
７  ピストン
８  カップ
９  カム
１０  カムシャフト
１２  パイプ
１５  ソレノイドバルブ
【図１】
0004463251.tif 000002
【図２】
0004463251.tif 000003
【図３】
0004463251.tif 000004
【図４】
0004463251.tif 000005
【図５】
0004463251.tif 000006
【図６】
0004463251.tif 000007
【図７】
0004463251.tif 000008
【図８】
0004463251.tif 000009
【図９】
0004463251.tif 000010
【図１０】
0004463251.tif 000011
【図１１】
0004463251.tif 000012